(57)【特許請求の範囲】
【請求項１】
筐体への放熱を行う放熱部を備えた機器取付板上に、複数の逆流防止ダイオードを搭載した太陽光発電システム用集電ボックスであって、
筐体内に、逆流防止ダイオード搭載面の端部をコ字状に折り曲げて形成され、背面板上に配置される熱伝導面からなる放熱部を備えた機器取付板を少なくとも２以上備え、これら機器取付板の逆流防止ダイオード搭載面と背面板との間に空間を形成するとともに、複数の逆流防止ダイオードを、各機器取付板に分散して搭載したことを特徴とする太陽光発電システム用集電ボックス。
【請求項２】
隣接する各機器取付板を、空間を持たせて配置したことを特徴とする請求項１記載の太陽光発電システム用集電ボックス。
【請求項３】
隣接する各機器取付板を、前記筐体内で上下に配置したことを特徴とする請求項１または２記載の太陽光発電システム用集電ボックス。
【請求項４】
前記熱伝導面を背面板上に配置したとき、各機器取付板の該逆流防止ダイオード搭載面が、各々、該背面板から異なる高さに位置することを特徴とする請求項１〜３の何れかに記載の太陽光発電システム用集電ボックス。
【発明の詳細な説明】
【技術分野】
【０００１】
本発明は、太陽光発電システム用集電ボックスに関するものである。
【背景技術】
【０００２】
太陽光発電システム用直流集電ボックス内には、太陽電池の各ストリング、すなわち太陽電池セルを必要な直流電圧が得られるように直列接続したモジュール群毎にそれぞれ開閉器、逆流防止用ダイオードと、それらを集電する集電開閉器を備えている。これらの内部機器のうち、特に逆流防止用ダイオードからの発熱は、周辺部材の寿命を損なう要因となりうる。
【０００３】
この問題を回避し、太陽光発電システム用直流集電装置内の放熱効果の向上を図るために、内部機器の取付に使用する内部機器取付板全体を、熱伝導性の高い部材から構成する技術が一般に採用されている。更に、高コストの放熱部材の使用量を抑制しつつ、前記効果を得る技術として、内部機器取付板よりも高い熱伝導率を有し、かつ、内部機器取付板よりもコンパクトな放熱板上に、全ての逆流防止用ダイオードをまとめて搭載した上で、該放熱板を載置した内部機器取付板を筐体に当接させて、筐体全体から放熱を行わせる構造も開示されている（特許文献１）。
【０００４】
しかし、従来の構造では、何れも、全ての逆流防止用ダイオードが、一枚の高熱伝導性部材の上に搭載されていたため、高熱伝導性部材を通じて、逆流防止用ダイオード間にも伝熱が生じ、これにより逆流防止用ダイオードの製品寿命が低下する問題があった。
【先行技術文献】
【特許文献】
【０００５】
【特許文献１】特開２０１０-２７２５５９号公報
【発明の概要】
【発明が解決しようとする課題】
【０００６】
本発明の目的は前記の問題を解決し、機器取付板上に搭載される逆流防止用ダイオード間の伝熱量を低減する技術を提供することである。
【課題を解決するための手段】
【０００７】
上記課題を解決するためになされた本発明の太陽光発電システム用集電ボックスは、筐体への放熱を行う放熱部を備えた機器取付板上に、複数の逆流防止ダイオードを搭載した太陽光発電システム用集電ボックスであって、筐体内に、逆流防止ダイオード搭載面の端部をコ字状に折り曲げて形成され、背面板上に配置される熱伝導面からなる放熱部を備えた機器取付板を少なくとも２以上備え、これら機器取付板の逆流防止ダイオード搭載面と背面板との間に空間を形成するとともに、複数の逆流防止ダイオードを、各機器取付板に分散して搭載したことを特徴とするものである。
【０００８】
請求項２記載の発明は、請求項１記載の太陽光発電システム用集電ボックスにおいて、隣接する各機器取付板を、空間を持たせて配置したことを特徴とするものである。
【０００９】
請求項３記載の発明は、請求項１または２記載の太陽光発電システム用集電ボックスにおいて、隣接する各機器取付板を、前記筐体内で上下に配置したことを特徴とするものである。
【００１０】
請求項４記載の発明は、請求項１〜３の何れかに記載の太陽光発電システム用集電ボックスにおいて、前記熱伝導面を背面板上に配置したとき、各機器取付板の該逆流防止ダイオード搭載面が、各々、該背面板から異なる高さに位置することを特徴とするものである。
【発明の効果】
【００１１】
本発明に係る太陽光発電システム用集電ボックスは、筐体内に、逆流防止ダイオード搭載面の端部をコ字状に折り曲げて形成され、背面板上に配置される熱伝導面からなる放熱部を備えた機器取付板を少なくとも２以上備え、これら機器取付板の逆流防止ダイオード搭載面と背面板との間に空間を形成するとともに、複数の逆流防止ダイオードを、各機器取付板に分散して搭載する構造により、異なる機器取付板に載置された逆流防止用ダイオードでは、伝熱が生じないようにして、他の逆流防止用ダイオードから発熱される熱に起因した製品寿命の低下率を軽減することができる。
【００１２】
逆流防止用ダイオードから発熱される熱は筐体の上方に向かうため、複数の逆流防止ダイオードを、一枚の機器取付板の上下位置に搭載した場合、機器取付板を介する伝熱の影響の他、下方に搭載した逆流防止ダイオードから発生した熱対流により、上方に搭載した逆流防止ダイオードがダメージを強く受け易くなる。これに対し、請求項３記載の発明のように、隣接する各機器取付板を、筐体内で上下に配置し、更に、請求項４記載の発明のように、上方と下方の機器取付板の、逆流防止ダイオード搭載面の高さ位置を異なるものとすることにより、上方に搭載した逆流防止ダイオードに対する、下方に搭載した逆流防止ダイオードからの発熱の影響を低減することができる。
【図面の簡単な説明】
【００１３】
【図１】本発明に係る太陽光発電システム用集電ボックスの内部構造説明図である。
【図２】図１の正面方向から見た図である。
【図３】機器取付板及び逆流防止ダイオードの関係を示す側面図である。
【図４】他の実施形態における機器取付板及び逆流防止ダイオードの関係を示す側面図である。
【図５】他の実施形態における機器取付板及び逆流防止ダイオードの関係を示す側面図である。
【図６】他の実施形態における太陽光発電システム用集電ボックスの正面図である。
【発明を実施するための形態】
【００１４】
以下に本発明の好ましい実施形態を示す。
【００１５】
図１には、本発明の太陽光発電システム用集電ボックスの内部構造説明図を示し、図２には、図１の正面図を示している。
【００１６】
図１、図２に示すように、本発明の集電ボックス１の内部には、内部機器２の取付けに用いる機器取付板３が上下に２枚隣接配置されている。本実施形態では、機器取付板３の材料としてアルミ板を使用しているが、その他にも、銅板等、熱伝導率が高い金属板を材料として使用することができる。
【００１７】
各々の機器取付板３は、図３に示すように、内部機器２（２１、２２、２３、２４、２５）を取り付ける機器取付面３１と、機器取付面３１の端部をコ字状に折り曲げて形成した熱伝導面３２を有し、熱伝導面３２が、筐体１内の背面板４上に配置されている。当該構造によれば、内部機器２から発生した熱を、放熱部である熱伝導面３２を介して、筐体１内の背面板４から外部に速やかに放熱することができる。本実施形態では、図３に示すように、上下に配置した機器取付板３の熱伝導面３２を、各々筐体１の中央部に配置しているが、その他、熱伝導面３２を筐体１の端部に配置したり、あるいは、筐体１の中央部と端部の双方に配置する構造としてもよい。また、隣接する各機器取付板３間での伝熱を回避する観点から、隣接する各機器取付板３は、図４に示すように、空間を持たせて配置することが好ましい。
【００１８】
なお、逆流防止用ダイオード２１から発熱される熱は筐体１の上方に向かうため、複数の逆流防止ダイオード２１を、一枚の機器取付板３の上下位置に全て搭載した場合、機器取付板３を介する伝熱の影響の他、下方に搭載した逆流防止ダイオード２１から発生した熱対流により、上方に搭載した逆流防止ダイオード２１がダメージを強く受け易くなる。本発明では前記のように、隣接する各機器取付板３を、筐体１内で上下に配置することにより、各機器取付板３を介する伝熱の影響の低減を図っているが、更に、図５に示すように、逆流防止ダイオード搭載面となる機器取付面３２の高さ位置を、下方の機器取付板は上方の機器取付板より高い位置に形成することにより、下方に搭載した逆流防止ダイオード２１から発生した熱対流が直接、上方に搭載した逆流防止ダイオード２１にぶつからない構造として、熱対流による影響の低減も合わせて図ることが好ましい。
【００１９】
機器取付面３２には、逆流防止ダイオード２１の他、集電開閉器２２、入力開閉器２３、銅バー２４、銅バー２５等の内部機器２が取り付けられており、各々を図示しない電線で接続し形成している。このうち、逆流防止ダイオード２１とは、太陽電池からパワーコンディショナー(住宅用分電盤)への一方向にのみ電流が流れるよう設定する機能を有するものであり、内部機器２の中で、最も発熱しやすい特性を備えるものである。
【００２０】
逆流防止ダイオード２１は、太陽電池のストリング毎に備えられているため、通常、一つの集電ボックス１の内部に複数の逆流防止ダイオード２１が存在する。本発明では、これら複数の複数の逆流防止ダイオード２１を、２枚の機器取付板３に分けて搭載することにより、１枚の機器取付板３に搭載される逆流防止ダイオード２１の数を低減し、同一の機器取付板３上に載置された逆流防止ダイオード２１間での伝熱に起因した逆流防止ダイオード２１の製品寿命の低下を抑制可能としている。
【００２１】
上記実施形態では、機器取付板３を上下に隣接配置しているが、その他の実施形態として、図６に示すように、機器取付板３を左右に隣接配置することもできる。この場合も、隣接する機器取付板３は、図４に示すように、空間を持たせて配置することが好ましい。
【符号の説明】
【００２２】
１    集電ボックス(筐体)
２    内部機器
２１  逆流防止ダイオード
２２  集電開閉器
２３  入力開閉器
２４  銅バー
２５  銅バー
３    機器取付板
３１  機器取付面
３２  熱伝導面
４    背面板
【図１】
0005948621.tif 000002
【図２】
0005948621.tif 000003
【図３】
0005948621.tif 000004
【図４】
0005948621.tif 000005
【図５】
0005948621.tif 000006
【図６】
0005948621.tif 000007